(57)【特許請求の範囲】
【請求項１】
光導波路がクラッド内に形成された光導波路基板と、前記光導波路の終端又は途中に設けられた光フィルタとを備えた光モジュールにおいて、
前記光フィルタは入射角度が大きいほど、阻止波長域の光の透過率が増加する光フィルタであり、
前記光導波路基板のクラッドよりも高い屈折率を有した高屈折率材が、前記光フィルタの前記光導波路からの光入射側に設けられており、
前記光フィルタの透過光側には、透過側光導波路又は光受信部が配置されており、
前記光導波路基板には、光フィルタに入射する光の入射側光導波路と、光フィルタで反射する光の反射側光導波路とが形成されていると共に、これらの光導波路が光導波路基板内で合流しており、前記高屈折率材が、この合流部分を除く部分に設けられていることを特徴とする光モジュール。
【請求項２】
前記高屈折率材が、前記光フィルタの光入射面上に形成されていることを特徴とする請求項１に記載の光モジュール。
【請求項３】
前記高屈折率材が、前記光導波路基板における光フィルタとの対向面上に形成されていることを特徴とする請求項１に記載の光モジュール。
【請求項４】
前記光導波路基板には、前記高屈折率材を配置するための充填用溝部が形成されており、前記充填用溝部の光入射側の面が、入射光軸以外に法線を有した光散乱面となっていることを特徴とする請求項１〜３のいずれか１項に記載の光モジュール。
【請求項５】
前記光導波路基板には、前記光受信部に光を導く光受信部側の光導波路が形成されており、この光導波路が前記光フィルタの透過光側に配置されていることを特徴とする請求項１〜４のいずれか１項に記載の光モジュール。
【発明の詳細な説明】
【技術分野】
【０００１】
本発明は、所定の波長帯の光を分波する光フィルタを有する光モジュールに関し、特に迷光の影響を抑えた光フィルタ構造によって光アイソレーションの向上や、光クロストークを抑制できる光モジュールに関する。
【背景技術】
【０００２】
近年、地域内ネットワークや都市間ネットワーク等に代表される光通信、及びサーバ・ルータの装置内や装置間での光リンク等の技術分野では、低コストで小型の光モジュールの実現が期待されている。これらの用途に用いられる光モジュールとして、信号光の波長を複数用いた多重光による送信用、受信用及び送受信用の光モジュールが知られている。
【０００３】
従来この種の光モジュールには、発光素子が搭載された光送信部や、受光素子が搭載された光受信部が設けられている。そうした光モジュールでは、光受信部から、外部の機器に接続するための光ファイバまでの経路の途中に、複数の信号光を合波したり分波したりするための光フィルタが配置されている。また、光加入者系の機器においても、入出力のためのファイバの本数を１本にする目的で、光経路の途中に、多重光を分波する構造からなる光フィルタが配置されている。この場合の光フィルタは、発光素子と受光素子とが取り扱う光信号の波長を別にして、発光素子と受光素子とに波長を振り分けている。
【０００４】
ところが、上記の光フィルタを用いた場合であっても、光信号を十分に分波することができず、光アイソレーションが悪い（あるいは光クロストークが大きい）という問題があった。その原因の一つとして、迷光が考えられる。迷光は光ファイバ（あるいは発光素子）と光経路のコア部との結合部分で光経路のコア部に入ることができずにクラッドに入り込んだ光や、クラッドに入らずに漏れた光などである。こうした迷光は、光フィルタに様々な角度で入射することになる。
【０００５】
通常、光フィルタへの光の入射角度が変化すると、光フィルタの光透過率の波長特性がシフトする。例えば、長波長側の光を透過し、短波長側の光を阻止（反射）する特性を有する光フィルタの場合、透過する波長域の光に近接した阻止波長域の光が大きな入射角度で光フィルタに入射すると、その入射光は光フィルタを透過し易く、光透過率を増加させる傾向がある。こうした光フィルタに小さな入射角度で迷光が入射した場合、そうした迷光は光フィルタで反射されてカットされる（透過光にならない）のに対し、光フィルタに大きな入射角度で迷光が入射した場合は、そうした迷光は光フィルタで十分に反射されずに透過して光透過率が増加することになる。光フィルタの光アイソレーションは、こうした迷光の影響によって悪化する。光アイソレーションを向上させるためには、迷光が透過するのを抑制する必要があり、従来より種々の手段がとられていた。
【０００６】
例えば特許文献１に記載されている光モジュールでは、発光素子と受光素子の間の光導波路に孔があいた遮光板を挿入することによって、光導波路の外側を遮光し、受光素子側に迷光が透過するのを抑制している。また、特許文献２に記載されている光モジュールでは、金属膜で周囲を覆ったピンホール付き光フィルタを受光素子の手前に配置することにより、受光素子側に迷光が透過するのを抑制している。
【特許文献１】特開２００１−２４９２４１号公報（第３〜４頁、図１、図２）
【特許文献２】特開２００１−３０５３６５号公報（第３頁、図１）
【発明の開示】
【発明が解決しようとする課題】
【０００７】
特許文献１又は特許文献２に記載の光モジュールでは、光導波路部分に遮光板やピンホールが一致するように光フィルタを精度よくアライメント調整する必要がある。しかしながら、こうしたアライメント調整に要求される精度は厳しく、実装コストが高くなるという課題がある。
【０００８】
本発明は、上記課題を解決するためになされたもので、その目的は、入射角度の大きな迷光であっても、受光素子側に透過するのを容易に抑制することができる構造の光モジュールを提供することにある。
【課題を解決するための手段】
【０００９】
上記課題を解決するために本発明の光モジュールは、光導波路がクラッド内に形成された光導波路基板と、前記光導波路の終端又は途中に設けられた光フィルタとを備えた光モジュールにおいて、前記光フィルタは入射角度が大きいほど、阻止波長域の光の透過率が増加する光フィルタであり、前記光導波路基板のクラッドよりも高い屈折率を有した高屈折率材が、前記光フィルタの前記光導波路からの光入射側に設けられており、前記光フィルタの透過光側には、透過側光導波路又は光受信部が配置されており、前記光導波路基板には、光フィルタに入射する光の入射側光導波路と、光フィルタで反射する光の反射側光導波路とが形成されていると共に、これらの光導波路が光導波路基板内で合流しており、前記高屈折率材が、この合流部分を除く部分に設けられていることを特徴とする。
【００１０】
この発明によれば、光導波路基板のクラッドよりも高い屈折率を有した高屈折率材を、入射角度が大きいほど、阻止波長域の光の透過率が増加する光フィルタの光入射側に設けるので、クラッドを伝搬してきた迷光は、高屈折率材で入射角度が小さくなるように屈折した後に光フィルタに入射する。その結果、光フィルタが反射する迷光の成分が多くなり、光フィルタの光アイソレーションを向上させることができる。このような光アイソレーションの向上は、光フィルタを透過する透過波長と光フィルタで反射される反射波長とが接近している場合に特に有効である。また、本発明の光モジュールにおいて光送信部がある場合は、上記光フィルタ構造によって、送信光に起因する迷光が少なくなるので、光クロストークを抑制できる。また、この発明によれば、高屈折率材を光フィルタの光入射側に設けるだけの簡単な構造であるので、遮光板やピンホール付き光フィルタに対するような高精度のアライメントが不要となり、組み立てが容易となる。
また、前記光フィルタの透過光側に、光受信部が配置されている場合には、光受信部は光フィルタを透過した光を受信するが、この発明によれば、迷光が光フィルタを透過して光受信部に到達するのを抑制することができるので、光フィルタでの光アイソレーションを向上させることができると共に、光クロストークを抑制できる。
また、前記光導波路基板には、光フィルタに入射する光の入射側光導波路と、光フィルタで反射する光の反射側光導波路とが形成されていると共に、これらの光導波路が光導波路基板内で合流しており、前記高屈折率材が、この合流部分を除く部分に設けられていることが好ましい。この発明によれば、入射側光導波路と反射側光導波路とが光導波路基板内で合流しており、高屈折率材がその合流部分を除く部分に設けられているので、その高屈折率材は、迷光をより小さな入射角度で光フィルタに入射させるように作用する。その結果、光フィルタを透過する迷光を抑制でき、光フィルタの光アイソレーションを向上させることができると共に、光クロストークを抑制できる。
【００１１】
本発明の光モジュールにおいては、前記高屈折率材が、前記光フィルタの光入射面上に形成されていてもよいし、前記光導波路基板における光フィルタとの対向面上に形成されていてもよい。これらいずれの発明によれば、上記効果を奏する高屈折率材を簡単に設けることができる。
【００１４】
本発明の光モジュールにおいて、前記光導波路基板には、前記高屈折率材を配置するための充填用溝部が形成されており、前記充填用溝部の光入射側の面が、入射光軸以外に法線を有した光散乱面となっていることが好ましい。この発明によれば、入射光軸以外の法線を有した光散乱面は、光導波路以外の部分の迷光に対する光散乱効果を増大するように作用する。その結果、光フィルタにおける迷光の透過量を減少させることができ、光アイソレーションをより向上させることができると共に、光クロストークを抑制できる。
【００１５】
本発明の光モジュールにおいて、前記光導波路基板には、前記光受信部に光を導く光受信部側の光導波路が形成されており、この光導波路が前記光フィルタの透過光側に配置されていることが好ましい。この発明によれば、光受信部側に光導波路基板が配置されているので、光フィルタを透過した光信号を光受信部に確実に導くことができる。
【発明の効果】
【００１６】
以上説明したように、本発明の光モジュールによれば、光導波路基板を伝搬してきた迷光が、入射角度が大きいほど、阻止波長域の光の透過率が増加する光フィルタに入射する前に高屈折率材で入射角度が小さくなるように屈折するので、迷光が光フィルタで反射し、光フィルタを透過する成分が少なくなる。その結果、光フィルタの光アイソレーションを向上させることができる。このような光アイソレーションの向上は、光フィルタを透過する透過波長と光フィルタを反射する反射波長とが接近している場合に特に有効である。本発明の光モジュールは、上記構造によって、送信光に起因する迷光が少なくなるので、光クロストークを抑制できる。
【００１７】
また、本発明の光モジュールによれば、高屈折率材を光フィルタの光入射側に設けるだけの簡単な構造であるので、遮光板やピンホール付き光フィルタに対するような高精度のアライメントが不要となり、組み立てが容易となる。
【発明を実施するための最良の形態】
【００１８】
以下、本発明の光モジュールの複数の実施形態について、図面を参照しつつ詳しく説明する。なお、本願において「入射角度」とは、光フィルタの入射面の法線に対する入射光の角度として定義する。
【００１９】
（第１実施形態）
図１及び図２は、本発明の光モジュールの第１実施形態を示す全体斜視図及び要部の平面図であり、図３は、図２におけるＡ−Ａ′線（波長λ０の光の経路）に沿った断面図である。
【００２０】
光モジュール１は、光受信用又は光送受信用のモジュールであり、図示を省略したモジュールパッケージ内に光導波路基板６１が搭載された形態からなるものである。光導波路基板６１には、発光によって出力を行うＬＤ素子（レーザダイオード素子）７が実装されていると共に、光ファイバ８がＬＤ素子７との並列位置に配置されている。また、ＬＤ素子７の反対側である光導波路基板６１の終端側には、光受信部１１が配置されている。この場合、ＬＤ素子７に換えて光ファイバ等を備えたインターフェース部を出力用に設けてもよい。
【００２１】
光受信部１１には、ＰＤ素子（フォトダイオード素子）９が表面実装された搭載基板１０（光導波路基板６１と同時に作製可）が設けられている。この光受信部１１と光導波路基板６１との間には、光フィルタ２が設けられている。光フィルタ２は、光導波路基板６１の終端面、すなわち光受信部１１側の端面に貼り付けられることにより上述した位置に設けられている。
【００２２】
光導波路基板６１は、図３に示すように、基板６１２と、基板６１２上に積層されたクラッド６１１と、クラッド６１１の内部に形成されたコア部（本発明においては、「光導波路」という。）から構成されている。クラッド６１１は、シリコン、ガラス、ポリマ樹脂等によって形成されており、ＬＤ素子７からの光を光フィルタ２に導く光導波路（入射側光導波路）６２及び光フィルタ２で反射した光を光ファイバ８に導く光導波路（反射側光導波路）６３が形成されている。
【００２３】
光フィルタ２は、例えば、誘電体多層膜フィルタによって形成されるものであり、光導波路６２を伝搬する多重光の内、特定波長の光を透過し、特定波長以外の光を反射する特性を有している。図２及び図３に示す実施形態では、長波長側である波長λ０の光を透過し、短波長側である波長λ１等のそれ以外の波長光を反射する。
【００２４】
この実施形態において、光フィルタ２における光入射側には、高屈折率材５が設けられている。高屈折率材５は、光導波路基板６１のクラッド６１１よりも高い屈折率を有している。クラッド６１１よりも高い屈折率を有する材料としては、光透過型のシリコン系樹脂、紫外線硬化型エポキシ樹脂、アクリル系樹脂等を選択することができる。高屈折率材５は、これらの材料を光フィルタ２の光入射側の面に塗布して硬化させたり、又は貼り付けたりすることにより形成される。塗布手段としては、光フィルタ２の光入射面に対してはけ塗りやスプレー噴射を行ってもよく、光フィルタ２の光入射面を上述した材料に浸漬して行ってもよい。また、高屈折率材５を光フィルタ上に形成するときは、光フィルタの成膜時（例えば誘電体多層膜フィルタの成膜時）に形成してもよい。このように形成される高屈折率材５の厚さとしては、１０数μｍ〜数十μｍ程度が良好である。
【００２５】
以上の構造の光モジュール１において、長波長である波長λ０の入射信号光７１及び短波長である波長λ１の入射信号光７３は、多重光となって光導波路６２を伝搬して光フィルタ２に達する。これらの信号光７１，７３は、光導波路６２を伝搬することにより、入射角度θ０で高屈折率材５（光フィルタ２）に入射する。
【００２６】
一方、クラッド６１１中の迷光４１は、様々な入射角度で高屈折率材５に入射するが、小さな入射角度で入射する場合には、光フィルタ２のフィルタ特性によってカットされる。図２で示す迷光４１は、入射信号光７１、７３の入射角度θ０よりも大きな入射角度θ１（θ１＞θ０）で高屈折率材５に入射する波長λ１の光である。
【００２７】
このような光モジュール１において、光フィルタ２を透過した信号光は、透過信号光７２（波長λ０）となって光受信部１１側のＰＤ素子９に入射する。一方、光フィルタ２で反射した信号光は、反射信号光７４となってクラッド６１１の光導波路６３を伝搬した後、光ファイバ８から送信される。θ０よりも大きな入射角度θ１で高屈折率材５に達した迷光４１は、高屈折率材５に入射して屈折した後、光フィルタ２に達して反射するため光フィルタ２の透過率が小さくなる。以下、この動作を説明する。
【００２８】
図４及び図５は、高屈折率材５の作用を説明するものであり、図４は波長に対する光透過率の変動を示し、図５は波長λ１の光における光フィルタの光透過率の入射角度依存性を示している。
【００２９】
長波長の光を透過し短波長の光を反射する光フィルタにおいては、図４に示すように、入射角度θが大きくなると光透過率の波長特性が短波長側にシフトする。光フィルタの設計にもよるが、波長λ０の光における透過率が一定であっても、波長λ１の場合には、入射角度θの増大によって透過率が増加する。従って、波長λ１の迷光４１が大きな角度（入射角度θ１）で光フィルタ２に直接に入射した場合には、光フィルタ２を通過して透過迷光４２（図２参照）が発生する原因となる。
【００３０】
これに対し、本発明の光モジュールは、光フィルタ２の光入射側にクラッド６１１よりも高屈折率となっている高屈折率材５を配置したものである。このように、光フィルタ２の前側に高屈折率材５を配置することにより、波長λ１の光（迷光４１）が高屈折率材５によって屈折するため、光フィルタ２への入射角度θが小さくなる。これにより、図５に示すように、波長λ１の迷光４１は光フィルタ２の透過率が減少するため、透過迷光４２の成分が減少し、逆に反射迷光４３の成分が増加する。従って、光受信部１１へ伝搬される透過迷光４２の抑制を行うことができる。
【００３１】
次に、入射側の光導波路６２の媒質（クラッド６１１）の屈折率をｎ１とした場合、高屈折率材５の屈折率ｎ２については、式１に示すスネルの法則が成り立つ。
【００３２】
ｎ１×ｓｉｎθ１＝ｎ２×ｓｉｎθ０……（式１）
【００３３】
このとき、迷光４１は、入射信号光７３と同じ入射角度θ０となる。したがって、迷光４１のほとんどの成分は反射迷光４３となり、透過迷光４２の成分が０に近づく。この場合、式１のｎ２を満たすことが望ましいが、迷光抑制効果としてはその限りではない。このように高屈折率材５を光フィルタ２の光入射側に設けることによって、光フィルタ２への迷光の入射角度θ０が小さくなり、迷光を反射迷光４３として反射させることができる。従って、光フィルタ２を変更することなく、光フィルタ２での迷光４１の透過を抑制することができる。
【００３４】
このような実施形態では、光導波路基板６１を伝搬してきた迷光４２が光フィルタ２に入射する前に高屈折率材５によって屈折し、光フィルタ２に対する迷光の入射角度が小さくなるため、迷光４２は小さい角度で光フィルタに入射する。このため、光フィルタ２によって反射される迷光の成分が多くなる。従って、波長λ１の光はそのほとんどが光フィルタ２で反射されるのに対し、光フィルタ２を透過する光はほとんどが波長λ０の光となるので、光フィルタ２の光アイソレーションを向上させることができる。この光アイソレーションの向上効果は、光フィルタ２を透過する透過波長と光フィルタ２を反射する反射波長とが接近している場合には、特に大きな効果となる。さらに、この実施形態の光モジュール１では、高屈折率材５を光フィルタ２の光入射側に設けるだけの簡単な構造であり、遮光板やピンホール付き光フィルタに対するような高精度のアライメントが不要となるため、組み立てが容易となる。
【００３５】
なお、光受信部１１においては、図１に示すように、面型のＰＤ素子９を搭載基板１０（光導波路基板６１と同時に作製可）上に表面実装させた構造であって、搭載基板１０の光フィルタ側の端面を例えば４５度ミラーになるように傾斜させて前記ＰＤ素子９に透過信号光３２を光軸変換させて受光させる形態としてもよい。また、光受信部１１は、サブキャリアに搭載した面形のＰＤ素子９を光フィルタ２に近接させた構造としてもよい。
【００３６】
こうした構成からなる本発明の光モジュールは、送信光に起因する迷光が少なくなるので、光クロストークを抑制できる。なお、言うまでもないが、光クロストークとは、送信側のＬＤ素子からの光が受光側のＰＤ素子に直接又は間接に光結合して起こるものであり、光クロストークを抑制（又は低減）するとは、例えば、送信側のＬＤ素子からの光を光導波路６２（コア部）に導く際に生じる迷光（光導波路に結合しない光）を抑制したり、ＰＤ素子に入る迷光を少なくしたりすることであり、特に本願においては、上記光フィルタ構造によりＰＤ素子に入る迷光を少なくすることによって、光クロストークを抑制することができる。なお、図１では光送受信モジュールについて示しているが、光送信部のない光受信モジュールにおいても同様の光フィルタ構造によって迷光を少なくすることができ、光アイソレーションの向上を図ることができる。
【００３７】
この実施形態において、高屈折率材を貼り付けていない比較例としての誘電体多層膜型光フィルタ２、及び入射側の面にクラッド６１１（フッ素化ポリイミド、屈折率：１．５２）よりも屈折率が高い高屈折率材５（アクリル系やエポキシ系樹脂、屈折率：１．６７、厚さ２０μｍ）を貼り付けた実施例としての誘電体多層膜型光フィルタ２を用い、これらの光フィルタ２に対し、入射信号光７１及び７３として、波長１４９０ｎｍ（波長λ１）の光及び波長１５５０ｎｍ（波長λ０）の光を入射した。その結果、比較例及び実施例のいずれにおいても、信号光７１，７３のうち波長１５５０ｎｍの信号光７２は、光フィルタ２を透過して透過信号光７２となって光受信部１１に到達し、波長１４９０ｎｍの信号光７３は、光フィルタ２によって反射されて反射信号光７４となって光ファイバ８に送信された。この場合における比較例の光アイソレーションが−３０ｄＢであったのに対し、実施例の光アイソレーションは−５０ｄＢであった。これは、比較例では、波長１４９０ｎｍの透過迷光４２が多いのに対し、実施例では、高屈折率材５によって反射迷光４３の量が増え、相対的に透過迷光４２の量が減ったことを示している。
【００３８】
（第２実施形態）
図６及び図７は、本発明の光モジュールの第２実施形態を示す全体斜視図及び要部の平面図であり、図８は、図７におけるＡ−Ａ′線（波長λ０の光の経路）に沿った断面図である。
【００３９】
この実施形態の光モジュール１Ａは、基板６１２の上面が光送信部側の光導波路基板６１と、光受信部１１側の光導波路基板６５とに分離されている。光導波路基板６１及び光導波路基板６５の分離は、これらの基板６１，６５の境界部分を横断する挿入溝１３を形成することにより行われ、その挿入溝１３に光フィルタ２が挿入されて固定される。このような構造では、光送信部側の光導波路基板６１及び光受信部１１側の光導波路基板６５を合わせた全体の光導波路基板の途中に、光フィルタ２が設けられるものである。
【００４０】
この光フィルタ２における光入射面には、高屈折率材５が設けられている。この場合、高屈折率材５は、光フィルタ２に設けることなく、光送信部側の光導波路基板６１における光フィルタ２との対向面、すなわち挿入溝１３における光送信部側の端面に高屈折率材５を貼り付けることにより設けることも可能である。
【００４１】
図６及び図７に示すように、光導波路基板６１のクラッド６１１内には、ＬＤ素子７からの光を光フィルタ２に伝搬するための光導波路６２が形成されると共に、光フィルタ２で反射した反射信号光７４を光ファイバ８に導く光導波路６３が形成されている。一方、光受信部１１側の光導波路基板６５のクラッド６１３内には、光フィルタ２を透過した透過信号７２をＰＤ素子９に導くための光導波路６４が形成されている。
【００４２】
この実施形態において、高屈折率材５としては、光導波路基板６１のクラッド６１１よりも高い屈折率を有した材料が用いられる。このような構造において、波長λ０の入射信号光７１及び波長λ１の入射信号光７３（λ０＞λ１）が、光導波路（入射側光導波路）６２を伝搬して入射角度θ０で光フィルタ２に達すると、長波長λ０の入射信号光７１は光フィルタ２を透過し、光導波路（透過側光導波路）６４を伝搬してＰＤ素子９に達する。これに対し、短波長λ１の入射信号光７３は高屈折率材５及び光フィルタ２で反射して反射信号光７４となり、光導波路６３を伝搬して光ファイバ８に達する。
【００４３】
一方、短波長λ１の迷光４１は入射角度θ０よりも大きな入射角度θ１で高屈折率材５に入射するが、第１実施形態と同様に、その殆どが反射迷光４３として反射され、光受信部１１側に透過する透過迷光４２が少なくなる。このため、光アイソレーションを向上させることができる。
【００４４】
（第３実施形態）
図９及び図１０は、本発明の光モジュールの第３実施形態を示す平面図及びそのＡ−Ａ′線に沿った断面図である。
【００４５】
この実施形態は、図１〜図３に示す第１実施形態と略同様であるが、高屈折率材５が光フィルタ２に形成されることなく、光導波路基板６１に形成されるものである。高屈折率材５は、光導波路基板６１のクラッド６１１における光フィルタ２との対向面、具体的には、クラッド６１１の光受信部側１１の端面に設けられる。すなわち、高屈折率材５は、クラッド６１１における光受信部１１側の端面に対して貼り付け又は塗布することにより設けたものである。
【００４６】
このように光導波路基板６１側に高屈折率材５を設ける構造では、光導波路基板６１に形成される光導波路６２、６３の寸法に起因して高屈折率材５の屈折率調整が必要な場合に柔軟に対応することができる、というメリットがある。
【００４７】
（第４実施形態）
図１１及び図１２は、本発明の光モジュールの第４実施形態を示す平面図及びそのＡ−Ａ′線に沿った断面図である。
【００４８】
この実施形態においては、光導波路基板６１に形成された入射側の光導波路６２及び反射側の光導波路６３が同基板６１内で合流している。これらの光導波路６２、６３の合流は、光フィルタ２の直前部分又はその表面（入射面）でなされており、光導波路の合流部分に対しては高屈折率材５が形成されていない。すなわち、高屈折率材５は、光導波路６２、６３の合流部分を除く部分における光フィルタ２の光入射側の面に設けられるものである。
【００４９】
このように、高屈折率材５が光導波路６２及び６３と重ならないように形成することにより、光導波路６２を伝搬してきた入射信号光７１、７３が高屈折率材５の面で反射することを抑制することができる。その結果、波長λ０の入射信号光７１は、光フィルタ２を高効率で透過して透過信号光３２となると共に、波長λ１の入射信号光７３は、光フィルタ２により高効率で反射されて反射信号光７４となる。
【００５０】
この実施形態における加工では、クラッド６１１内に対して光導波路６２、６３を形成するときに、ＲＩＥやレーザ加工等により充填用溝部を形成する。この充填用溝部は、光導波路６２、６３の合流部分に対して形成することなく、合流部分に対しては、クラッド６１１を残した状態とする。そして、充填用溝部に高屈折率材５を充填することにより、光導波路６２、６３の合流部分に高屈折率材５が配置されない構造とすることができる。このような加工を行うため、光導波路６２、６３や高屈折率材５としては、高分子材料を用いることが好ましい。
【００５１】
以上に加えて、この実施形態においては、充填用溝部における光導波路６２又は６３側（光入射側）の面を粗くしたり曲面状にしたりする等の処理を施すことにより、入射光軸以外に法線を有した光散乱面とする。このような光散乱面とすることにより、光導波路６２、６３以外の部分の迷光に対する散乱効果を向上させることができる。
【００５２】
（その他の形態）
図１３は、その他の形態の光モジュール１Ｅを示す。この形態では、光フィルタ２における光入射側の面に高屈折率材５が形成されることにより、光モジュール１Ｅが構成されている。波長λ０の入射信号光３１及び波長λ１の入射信号光３３は、多重光（λ０＞λ１）となって光フィルタ２に対して入射角度θ０で入射する。これらの信号光は、コリメータ光であってもよく、集光されたビームであってもよい。また、迷光は様々な入射角度で高屈折率材５に入射するが、このうち図１３で示す迷光４１は、入射角度θ０よりも大きな入射角度θ１で高屈折率材５に入射する迷光である。これらの信号光３１、３３及び迷光４１は、空間を伝搬してくるため、高屈折率材５の屈折率は、周囲の空気或いはガスよりも高い屈折率を有するように設定される。
【００５３】
このように、高い屈折率からなる高屈折率材５に対して入射角度θ１で迷光４１が入射すると、その殆どの成分が反射迷光４３となって反射され、透過迷光４２となって光フィルタ２を透過する量が少なくなる。これにより光フィルタ２の光アイソレーションを向上させることが可能となる。
【図面の簡単な説明】
【００５４】
【図１】本発明の光モジュールの第１実施形態を示す全体斜視図である。
【図２】本発明の光モジュールの第１実施形態の要部の平面図である。
【図３】図２におけるＡ−Ａ′線に沿った断面図である。
【図４】光フィルタの波長に対する光透過率を示すグラフである。
【図５】光フィルタの入射角度に対する透過率を示すグラフである。
【図６】本発明の光モジュールの第２実施形態を示す全体斜視図である。
【図７】本発明の光モジュールの第２実施形態の要部の平面図である。
【図８】図７におけるＡ−Ａ′線に沿った断面図である。
【図９】本発明の光モジュールの第３実施形態の要部の平面図である。
【図１０】図９におけるＡ−Ａ′線に沿った断面図である。
【図１１】本発明の光モジュールの第４実施形態の要部の平面図である。
【図１２】図１０におけるＡ−Ａ′線に沿った断面図である。
【図１３】その他の形態の光モジュールの要部の平面図である。
【符号の説明】
【００５５】
１，１Ａ，１Ｂ，１Ｃ，１Ｄ，１Ｅ  光モジュール
２  光フィルタ
５  高屈折率材
７  ＬＤ素子
８  光ファイバ
９  ＰＤ素子
１１  受信部
１３  挿入溝
３１，３３，７１，７３  入射信号光
３２，７２  透過信号光  
３４，７４  反射信号光
４１  迷光
４２  透過迷光
４３  反射迷光
６１，６５  光導波路基板
６２，６３，６４  光導波路
６１１，６１３  クラッド
６１２  基板
【図１】
0004735097.tif 000002
【図２】
0004735097.tif 000003
【図３】
0004735097.tif 000004
【図４】
0004735097.tif 000005
【図５】
0004735097.tif 000006
【図６】
0004735097.tif 000007
【図７】
0004735097.tif 000008
【図８】
0004735097.tif 000009
【図９】
0004735097.tif 000010
【図１０】
0004735097.tif 000011
【図１１】
0004735097.tif 000012
【図１２】
0004735097.tif 000013
【図１３】
0004735097.tif 000014